(57)【要約】      （修正有）【課題】１本の角ベラでできるだけ多くの使用状況に対応できる角ベラを提供する。【解決手段】持ち手を兼ねたヘラ部本体１１と、ヘラ部本体の両端部に配されたヘラ部１２、１３とを備えた角ベラ１０において、両端部に配されたヘラ部の少なくとも一方が、ヘラ部本体に着脱自在に装着された着脱ヘラ部１２であり、着脱ヘラ部の両端部には各々ヘラ先１４が形成され、ヘラ部本体の端部には、着脱ヘラ部の一方のヘラ先を挿入可能な挿入孔１６が形成されている。【選択図】図１
0003201443.tif 000002
【実用新案登録請求の範囲】
【請求項１】
持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であることを特徴とする角ベラ。
【請求項２】
持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であり、
前記着脱ヘラ部は、そのヘラ部の一端と他端との両端部の各々にヘラ先が形成され、
前記ヘラ部本体の着脱ヘラ部が挿着される端部には、着脱ヘラ部の一方のヘラ先を挿入可能な挿入孔が端部に形成されていることを特徴とする角ベラ。
【請求項３】
持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であり、
前記着脱ヘラ部は、そのヘラ部の一端と他端との両端部の各々にヘラ先が形成され、
前記ヘラ部本体の着脱ヘラ部が挿着される端部には、着脱ヘラ部の一方のヘラ先を挿入可能な挿入孔が端部に形成されており、
前記着脱ヘラ部の両端が異なる形状のヘラ先であることを特徴とする角ベラ。
【請求項４】
持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であり、
前記着脱ヘラ部は、そのヘラ部の一端と他端との両端部の各々にヘラ先が形成され、
前記ヘラ部本体の着脱ヘラ部が挿着される端部には、着脱ヘラ部の一方のヘラ先を挿入可能な挿入孔が端部に形成されており、
前記着脱ヘラ部の一端が平状のヘラ先であり、他端が曲がり状のヘラ先であることを特徴とする角ベラ。
【考案の詳細な説明】
【技術分野】
【０００１】
本考案は、例えば壁紙、襖紙等の壁装仕上げ材の入隅部を下地の入隅に沿った美しい角に見せるために、或いは、入隅部を裁断する際に、下地の入隅部に対して切断位置がずれないよう、予め入隅に沿って仕上げ材の表面から押し当て、折り目を付けるために使用する角ベラに関するものである。
【背景技術】
【０００２】
従来より、壁紙や襖紙の入隅部を押さえるための角ベラが市販されている。その角ベラの素材としては、竹、象牙、牛骨等の硬質材、ステンレス板に木製や樹脂製の柄を取り付けたもの、あるいは樹脂製のもの等がある。入隅を押さえるための形状としては、明確な折り目を付けることができ、さらに入隅の端（三面の入隅）まで先端が当り、かつ材料を破ってしまわないよう、先端角度が９０度以下のやや丸みを帯びた先端形状をしたものが一般的である。
【０００３】
また、天井目透かしや壁目透かしの奥等の壁紙入隅部を押さえる際に、柄や手が壁に干渉しないよう、先端を少し曲げたもの等が市販されている。近年の内装構造は複雑多様化しており、狭い部分や、入り組んだ部分の隅押さえには、１種類の角ベラだけでは対応できず、長さや先端形状、曲がり等の異なる複数の角ベラを準備しておき、状況に応じて使い分ける等の必要が生じてきている。
【０００４】
更に、複数のコーキング用ヘラを用意することなく、一本で対応できるヘラとして、薄厚な金属板からなるヘラ本体の一端に相互に直交し長方形状を構成する４つのヘラ先を有するコーキング用ヘラが提案されている（例えば、特許文献１参照）。
【先行技術文献】
【特許文献】
【０００５】
【特許文献１】実用新案登録第３１６４８９０号公報
【考案の概要】
【考案が解決しようとする課題】
【０００６】
しかしながら、金属製の４つのヘラ先を先端部に配しているため、特定のヘラ先を特定の入隅部に挿入する場合には、ヘラ自体を特定の角度で入隅部に挿入して押さえる必要があるため、作業者にとって無理な体勢を取る可能性がある。
【０００７】
本考案は、１本の角ベラでできるだけ多くの使用状況に対応できる角ベラを得ることを目的とする。
【課題を解決するための手段】
【０００８】
請求項１に記載された考案に係る角ベラは、持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であることを特徴とするものである。
【０００９】
請求項２に記載された考案に係る角ベラは、持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であり、
前記着脱ヘラ部は、そのヘラ部の一端と他端との両端部の各々にヘラ先が形成され、
前記ヘラ部本体の着脱ヘラ部が挿着される端部には、着脱ヘラ部の一方のヘラ先を挿入可能な挿入孔が端部に形成されていることを特徴とするものである。
【００１０】
請求項３に記載された考案に係る角ベラは、持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であり、
前記着脱ヘラ部は、そのヘラ部の一端と他端との両端部の各々にヘラ先が形成され、
前記ヘラ部本体の着脱ヘラ部が挿着される端部には、着脱ヘラ部の一方のヘラ先を挿入可能な挿入孔が端部に形成されており、
前記着脱ヘラ部の両端が異なる形状のヘラ先であることを特徴とするものである。
【００１１】
請求項４に記載された考案に係る角ベラは、持ち手を兼ねたヘラ部本体と、このヘラ部本体の両端部に配されたヘラ部とを備えた角ベラにおいて、
前記両端部に配されたヘラ部の少なくとも一方が、前記ヘラ部本体に着脱自在に装着された着脱ヘラ部であり、
前記着脱ヘラ部は、そのヘラ部の一端と他端との両端部の各々にヘラ部が形成され、
前記ヘラ部本体の着脱ヘラ部が挿着される端部には、着脱ヘラ部の一方のヘラ先を挿入可能な挿入孔が端部に形成されており、
前記着脱ヘラ部の一端が平状のヘラ先であり、他端が曲がり状のヘラ先であることを特徴とするものである。
【考案の効果】
【００１２】
本考案は、１本の角ベラで種々の相違する使用状況に対応可能な角ベラを得ることができるという効果がある。
【図面の簡単な説明】
【００１３】
【図１】本考案の角ベラの一実施例の構成を示す説明図であり、ａ図は平面図、ｂ図は正面図である。
【図２】図１の角ベラの一端の着脱ヘラ部を反転させた構成を示す説明図であり、ａ図は平面図、ｂ図は正面図である。
【図３】図１の角ベラの一端の着脱ヘラ部の構成を示す説明図であり、ａ図は平面図、ｂ図は正面図である。
【図４】図１の角ベラの他端部のヘラ部本体の構成を示す説明図であり、ａ図は平面図、ｂ図は正面図である。
【考案を実施するための形態】
【００１４】
本考案においては、持ち手を兼ねたヘラ部本体と、このヘラ部本体の両端部に配されたヘラ部とを備えた角ベラにおいて、両端部に配されたヘラ部の少なくとも一方がヘラ部本体に着脱自在に装着された着脱ヘラ部であるため、１本の角ベラで多くの使用状況に対応できる。
【００１５】
例えば、着脱ヘラ部を外した状態では、他方のヘラ部を使用する際に、ヘラ部本体を含む全体の長さを短くできるため、狭い場所での使用がしやすくなる利点を奏する。また、着脱ヘラ部を多数種類揃えておき、使用状況に応じて差し替えて使用することにより、１本の角ベラで、多くの使用状況に対応できる。
【００１６】
本発明の着脱ヘラ部としては、両端部に配されたヘラ先の少なくとも一方が、前記ヘラ部本体に着脱自在に装着されるものであればよく、ヘラ部本体の一端部のみでもヘラ部本体の両端部でも着脱ヘラ部としてもよい。
【００１７】
この着脱ヘラ部は、好ましくは、そのヘラ部の一端と他端との両端部の各々にヘラ先が形成され、前記ヘラ部本体の着脱ヘラ部が挿着される端部には、着脱ヘラ部の一方のヘラ先を挿入可能な挿入孔が端部に形成されているものが挙げられる。
【００１８】
好ましい態様としては、着脱ヘラ部の両端が異なる形状のヘラ先であり、更には着脱ヘラ部の一端が平状のヘラ先であり、他端が曲がり状のヘラ先であるものが挙げられる。これにより、柄の端部に収納一体化でき、かつ形状や曲りの異なる先端形状に向きを差し替えて使用可能となった。
【００１９】
以上の通り、本考案は、１本の角ベラでできるだけ多くの使用状況に対応できるよう柄の端部に収納一体化でき、かつ形状や曲りの異なる先端形状のヘラ先に向きを差し替えて使用可能な着脱ヘラ部を補助ヘラとして備えた構造とすることにより、解決が可能となった。また、一体化可能な補助ヘラを取り外して使用すれば、ヘラ部本体の全長が短くできるため、狭い場所での使用がしやすくなる。さらに着脱ヘラ部自体も単独で小型の角ベラとして使用できるので、極端に狭いスペースでの使用も可能となる。
【実施例】
【００２０】
図１は本考案の角ベラの一実施例の構成を示す説明図であり、ａ図は平面図、ｂ図は正面図である。図２は図１の角ベラの一端の着脱ヘラ部を反転させた構成を示す説明図であり、ａ図は平面図、ｂ図は正面図である。図３は図１の角ベラの一端の着脱ヘラ部の構成を示す説明図であり、ａ図は平面図、ｂ図は正面図である。図４は図１の角ベラの他端部のヘラ部本体の構成を示す説明図であり、ａ図は平面図、ｂ図は正面図である。
【００２１】
図に示す通り、本実施例の角ベラ１０は、持ち手を兼ねたヘラ部本体１１と、このヘラ部本体１１の両端部に配されたヘラ部１２、１３とを備える。両端部に配されたヘラ部１２、１３の一方のヘラ先が、ヘラ部本体１１に着脱自在に装着された着脱ヘラ部１２である。尚、本実施例の角ベラ１０においては、一端部のみを着脱ヘラ部１２としたが、両端部を共に着脱ヘラ部としてもよい。
【００２２】
本実施例では、ヘラ部本体１１の一端部に着脱自在に装着される着脱ヘラ部１２としたため、着脱ヘラ部１２を取り外した場合には、角ベラ１０の全長が短くなる。このため、狭い場所での使用がしやすくなる利点を奏する。更に、着脱ヘラ部を多数種類揃えておき、使用状況に応じて差し替えて使用することにより、１本の角ベラで、多くの使用状況に対応できることも可能である。
【００２３】
着脱ヘラ部１２の一端と他端との両端部の各々にヘラ先１４、１５が形成され、ヘラ部本体の着脱ヘラ部が挿着される端部に形成された挿入孔１６に着脱ヘラ部１２の一方挿入されて、固定される。着脱ヘラ部１２の挿入孔１６の固定は、ヘラ先１４、１５の根本の形状に合致する断面を有する挿入孔１６によって固定されればよい。その他にも挿入孔１６が縮径してロックするロック機構等を備えてもよい。
【００２４】
本実施例の着脱ヘラ部１２では、両端が異なる形状のヘラ先１４、１５である。具体的には、着脱ヘラ部１２の一端は、平状のヘラ先１４であり、他端は、曲がり状のヘラ先１５である。このため、１本の角ベラで多くの使用状況に対応できる。
【符号の説明】
【００２５】
１０…角ベラ、
１１…ヘラ部本体、
１２…着脱ヘラ部（ヘラ先）、
１３…ヘラ部、
１４…ヘラ先、
１５…ヘラ先、
１６…挿入孔、
【図１】
0003201443.tif 000003
【図２】
0003201443.tif 000004
【図３】
0003201443.tif 000005
【図４】
0003201443.tif 000006